(57)【要約】【課題】ウエストにゴロ付き感や圧迫感を生じさせないタイツを提供する。【解決手段】タイツ１は、タイツ体２とパンツ体３とを備えているので、このタイツ１をはくと、従来のようにパンツにタイツを重ねばきしていたかのような着衣感を得られると共に、タイツ体２とパンツ体３とがズレ止め４を共通にしているので、ウエストが２重に締め付けられることがなくなる。したがって、このタイツ１を用いれば、従来のようにパンツにタイツを重ねばきしていたかのような着衣感を得られるにもかかわらず、ウエストにゴロ付き感や圧迫感を生じさせることを防止することができる。【選択図】  図１
0003186052.tif 000002
【実用新案登録請求の範囲】
【請求項１】
ウエスト位置にゴム製のズレ止めを備えるタイツ体（２）と、
前記ズレ止め（４）を前記タイツ体と共通にするパンツ体（３）と、
を備え、
前記パンツ体を前記タイツ体の内側に配置して使用することを特徴とするタイツ（１）。
【請求項２】
請求項１に記載のタイツにおいて、
発熱糸を用いた布地で構成されていることを特徴とするタイツ。
【請求項３】
請求項１，２のいずれか１項に記載のタイツにおいて、
伸縮性を有する布地で構成されていることを特徴とするタイツ。
【請求項４】
請求項３に記載のタイツにおいて、
前記パンツ体は、
前記タイツ体が備える脚部（２０ａｂ、２０ｂｂ）よりも短い脚部（３０ａｂ、３０ｂｂ）を有する
ことを特徴とするタイツ。
【考案の詳細な説明】
【技術分野】
【０００１】
本考案は、タイツに関する。
【背景技術】
【０００２】
従来、タイツは、パンツの上から重ねてはかれていた。
【考案の概要】
【考案が解決しようとする課題】
【０００３】
しかし、タイツをパンツの上から重ねてはくと、それぞれのウエスト位置に設けられたゴム製のズレ止めがウエストを２重に締め付けるので、ゴロ付き感や圧迫感を生じさせていた。
【０００４】
本考案は、上記点に鑑み、ウエストにゴロ付き感や圧迫感を生じさせないタイツを提供することを目的とする。
【課題を解決するための手段】
【０００５】
上記目的を達成するため、請求項１に記載のタイツ（１）は、ウエスト位置にゴム製のズレ止め（４）を備えるタイツ体（２）と、ズレ止めをタイツ体と共通にするパンツ体（３）と、を備え、パンツ体をタイツ体の内側に配置して使用することを特徴とする。
【０００６】
このタイツは、タイツ体とパンツ体とを備えているので、このタイツをはくと、従来のようにパンツにタイツを重ねばきしていたかのような着衣感を得られると共に、タイツ体とパンツ体とがズレ止めを共通にしているので、ウエストが２重に締め付けられることがない。
【０００７】
したがって、このタイツを用いれば、従来のようにパンツにタイツを重ねばきしていたかのような着衣感を得られるにもかかわらず、ウエストにゴロ付き感や圧迫感を生じさせることを防止することができる。
【０００８】
しかも、このタイツは、一度の着衣動作ではくことができる。
また、このタイツは、タイツ体とパンツ体とがズレ止めを共通にしていて、タイツ体とパンツ体とが位置ズレすることがないので、従来のように重ねばきする場合に比べ動きやすい。
【０００９】
また、このタイツは、タイツ体およびパンツ体が同じズレ止めによって一体に形成されているので、タイツをはくことによって温められたタイツ体とパンツ体との間の空気が外部に逃げにくく、従来のように重ねばきする場合に比べて保温性効果が高められる。
【００１０】
次に、本考案のタイツは、請求項２に記載したように、発熱糸を用いた布地で構成されているとよい。このタイツをはくとタイツの内側の温度が下がりにくくなるため、このタイツは、発熱糸を用いていない布地で構成されたタイツに比べ保温性に優れる。このタイツは、冬場の使用に最適である。
【００１１】
尚、発熱糸を用いた布地は、発熱糸で全部が構成されていてもよいし、一部が構成されていてもよい。また、発熱糸とは、例えば、１）人体から発生する熱（遠赤外線）を反射する機能を有する糸。例えば、炭化ジルコニウムを有する糸。２）加熱すると遠赤外線を放射するセラミックを有する糸。３）羊毛繊維などの吸湿発熱糸、４）シナなどの水分を吸収して発熱する繊維（人体からでる水分が水蒸気として発散され、その水分（湿めりけ）を繊維が吸収することにより、運動エネルギーが熱エネルギーに変換され発熱する）等である。
【００１２】
次に、本考案のタイツは、請求項３に記載したように、伸縮性を有する布地で構成されているとよい。尚、伸縮性を有する布地とは、例えば、伸縮性を有する糸が少なくとも一部に編み込まれた布地（天笠編みをし、更に、ポリウレタン糸が編み込まれた生地で伸縮性に優れているものなど。ポリウレタン糸に代えて、ポリエステル糸、ナイロン糸、綿、アクリル、ウール、レーヨン等が編み込まれていてもよい。）などがある。
【００１３】
次に、請求項４に記載したように、パンツ体は、タイツ体が備える脚部分（２０ａｂ、２０ｂｂ）よりも短い脚部分（３０ａｂ、３０ｂｂ）を有するもの、いわゆる、ボクサータイプのパンツであるとよい。
【００１４】
このようにすると、パンツ体がコンパクトにほどよく臀部を包み込み、ずれにくいからである。
因みに、上記各手段等の括弧内の符号は、後述する実施形態に記載の具体的手段等との対応関係を示す一例であり、本考案は上記各手段等の括弧内の符号に示された具体的手段等に限定されるものではない。
【図面の簡単な説明】
【００１５】
【図１】本実施形態のタイツの正面図であり、タイツ体の内部に配置されるパンツ体については点線で示している。
【図２】本実施形態のタイツを構成するタイツ体の正面図および背面図である。
【図３】本実施形態のタイツを構成するパンツ体の正面図および背面図である。
【考案を実施するための形態】
【００１６】
以下に本考案の実施形態を図面と共に説明する。
本実施形態のタイツ１は、図１に示すように、タイツ体２と、パンツ体３とを備えており、パンツ体３をタイツ体２の内側に配置して使用する。
【００１７】
また、このタイツ１は、ウエスト位置（人のウエストに対応する位置）に、タイツ体２とパンツ体３とで共通のゴム製のズレ止め４を備えている。
このうちズレ止め４は、布を構成する糸に、糸状のゴムを縫い込んだものであり、人がタイツ１をはくと、その人のウエスト部分を包囲して締め付け、その締め付けた位置からズレることを防止するものである。
【００１８】
タイツ体２は、図２（ａ）に示すように、前身頃２０が、右側部２０ａ、左側部２０ｂ、襠部２０ｃとからなり、後見頃２１が、図２（ｂ）に示すように、右側部２１ａ、左側部２１ｂとからなる。
【００１９】
前身頃２０の右側部２０ａと左側部２０ｂとは、図２（ａ）に示すように、襠部２０ｃを挟んで左右対称な形状に形成されており、襠部２０ｃは右側部２０ａと左側部２０ｂの中央であって、ウエスト位置から股位置（人の股に対応する位置）にかけて設けられている。
【００２０】
また、右側部２０ａおよび左側部２０ｂは、それぞれ、人のウエスト位置から股位置までの部分を覆う脚胴部２０ａａ、２０ｂａと、人の右足部分または左足部分を覆う脚部２０ａｂ、２０ｂｂを有している。
【００２１】
各脚部２０ａｂ、２０ｂｂは、膝の下方位置まで右足部分または左足部分を覆う長さに形成されている。
また、襠部２０ｃには、タイツ１が男性用であるため、開口部２０ｄが形成されている。
【００２２】
そして、前身頃２０は、右側部２０ａと襠部２０ｃ、左側部２０ｂと襠部２０ｃがそれぞれ縫製され、右側部２０ａ、左側部２０ｂおよび襠部２０ｃは、ウエスト位置でズレ止め４に縫製されている。
【００２３】
後身頃２１は、図２（ｂ）に示すように、右側部２１ａと左側部２１ｂとは左右対称な形状に形成されており、臀部中央で縫製されている。
また、右側部２１ａおよび左側部２１ｂは、臀部を覆う臀部２１ａａ、２１ｂａと、右足部分または左足部分を覆う脚部２１ａｂ、２１ｂｂを有している。
【００２４】
各脚部２１ａｂ、２１ｂｂは、膝の下方位置まで右足部分または左足部分を覆う長さに形成されている。
そして、後見頃２１は、右側部２１ａおよび左側部２０ｂが、ウエスト位置でズレ止め４に縫製されている。
【００２５】
尚、前身頃２０の右側部２０ａと後見頃２１の右側部２１ａとは一続きの布地で形成され、前身頃２０の左側部２０ｂと後見頃２１の左側部２１ｂも同様である。
また、前身頃２０および後見頃２１を構成する布地は、吸湿発熱糸で構成された伸縮性を有する布地を用いている。
【００２６】
パンツ体３は、図３（ａ）に示すように、前身頃３０が、右側部３０ａ、左側部３０ｂ、襠部３０ｃ、股部３０ｄとからなり、後見頃３１が、図３（ｂ）に示すように、後部３１ａ、および、股部３１ｄとからなる。
【００２７】
前身頃３０の右側部３０ａと左側部３０ｂとは、図３（ａ）に示すように、襠部３０ｃを挟んで左右対称な形状に形成されており、襠部３０ｃは右側部３０ａと左側部３０ｂの中央であって、ウエスト位置から股位置にかけて設けられている。股部３１ｄは、襠部３０ｃの下方に配置され、人の股部分が当接する位置に配置される。
【００２８】
また、右側部３０ａおよび左側部３０ｂは、人のウエスト位置から股位置までの部分を覆う脚胴部３０ａａ、３０ｂａと、右足または左足を覆う脚部３０ａｂ、３０ｂｂを有している。
【００２９】
各脚部３０ａｂ、３０ｂｂは、タイツ体２の各脚部２０ａｂ、２０ｂｂよりも短く右足または左足の付根部分を覆う長さに形成されている。
また、襠部３０ｃには、タイツ１が男性用であるため、開口部３０ｄが形成されている。
【００３０】
そして、前身頃３０は、右側部３０ａと襠部３０ｃ、左側部３０ｂと襠部３０ｃがそれぞれ縫製され、右側部３０ａ、左側部３０ｂおよび襠部３０ｃは、ウエスト位置でタイツ体２と共通のズレ止め４に縫製され、股位置で股部３０ｄに縫製されている。
【００３１】
後身頃３１は、図３（ｂ）に示すように、後部３１ａを備えており、この後部３１ａは、タイツ１をはいたときに、人の臀部全体を覆う臀部３１ａａと、右足または左足を覆う脚部３１ａｂを有している。
【００３２】
脚部３１ａｂは、タイツ体２の各脚部２０ａｂ、２０ｂｂよりも短く右足または左足の付根部分を覆う長さに形成されている。
そして、この後身頃３１は、後部３１ａが、ウエスト位置でズレ止め４に縫製され、股位置で股部３１ｄに縫製されている。
【００３３】
尚、前身頃３０の右側部３０ａおよび左側部３０ｂと後身頃３１の後部３１ａとは一続きの布地で形成され、前身頃３０の股部３０ｄと後身頃３１の股部３１ｄも一続きの布地で形成されている。
【００３４】
また、前身頃３０および後見頃３１を構成する布地は、吸湿発熱糸で構成された伸縮性を有する布地である。
このように構成されたタイツ１は、図１に示すように、パンツ体３をタイツ体２の内側に配置して使用する。
（本考案の特徴的な作用効果）
以上説明したタイツ１は、タイツ体２とパンツ体３とを備えているので、このタイツ１をはくと、従来のようにパンツにタイツを重ねばきしていたかのような着衣感を得られると共に、タイツ体２とパンツ体３とがズレ止め４を共通にしているので、ウエストが２重に締め付けられることがなくなる。
【００３５】
したがって、このタイツ１を用いれば、従来のようにパンツにタイツを重ねばきしていたかのような着衣感を得られるにもかかわらず、ウエストにゴロ付き感や圧迫感を生じさせることを防止することができる。
【００３６】
しかも、このタイツ１は、一度の着衣動作ではくことができる。
また、このタイツ１は、タイツ体２とパンツ体３とがズレ止めを共通にしていて、タイツ体とパンツ体とが位置ズレすることがないので、従来のように重ねばきする場合に比べ動きやすい。また、このタイツは、タイツ体およびパンツ体が同じズレ止めによって一体に形成されているので、タイツをはくことによって温められたタイツ体とパンツ体との間の空気が外部に逃げにくく、従来のように重ねばきする場合に比べて保温性効果が高められる。
また、このタイツ１は、吸湿発熱糸で構成されており、このタイツ１をはくとタイツ１の内側の温度が下がりにくくなるため、このタイツ１は、発熱糸を用いていない布地で構成されたタイツに比べ保温性に優れる。このタイツは、冬場の使用に最適である。
【００３７】
尚、吸湿発熱糸を用いた布地は、吸湿発熱糸で全部が構成されていてもよいし、一部が構成されていてもよい。
次に、パンツ体３は、タイツ体２が備える脚部（２０ａｂ、２０ｂｂ、２１ａｂ、２１ｂｂ）よりも短い脚部（３０ａｂ、３０ｂｂ、３１ａｂ）を有するもの、いわゆる、ボクサータイプのパンツであるとよい。このようにすると、パンツ体３がコンパクトにほどよく臀部を包み込み、ずれにくいからである。
［他の実施形態］
以上、実施形態について説明したが、実用新案登録請求の範囲に記載された考案は、上記実施形態に限定されることなく、種々の形態を採り得ることは言うまでもない。
【００３８】
例えば、ズレ止め４は、ウエスト位置にゴムを通す袋状のゴム通し孔をウエスト回りに形成し、このゴム通し孔にゴムを通して構成してもよい。
また、上記実施形態では、タイツ１として、吸湿発熱糸で構成した冬物について説明したが、夏物の場合、クレープ素材、綿やポリエステル素材を含めた吸汗速乾素材（いわゆるシャレテコ（おしゃれなステテコ）等）で構成してもよいし、春物、秋物の場合、起毛系、キルト等のズボン下で構成してもよい。
【００３９】
また、上記実施形態では、タイツ１として、吸湿発熱糸で構成したものについて説明したが、他の発熱糸、例えば、人体から発生する熱（遠赤外線）を反射する機能を有する糸。例えば、炭化ジルコニウムを有する糸。２）加熱すると遠赤外線を放射するセラミックを有する糸。３）シナなどの水分を吸収して発熱する繊維（人体からでる水分が水蒸気として発散され、その水分（湿めりけ）を繊維が吸収することにより、運動エネルギーが熱エネルギーに変換され発熱する）等で構成してもよい。
【００４０】
また、上記実施形態を構成するパンツ体３としては、ボクサータイプのパンツを用いたが、他に、ブリーフ型、トランクス型が考えられ、タイツ体２としては、ステテコ型、レギンス型、ハーフパンツ型などにしてもよい。
【００４１】
また、上記実施形態では、伸縮性を有する布地を用いているが、この布地は、例えば、伸縮性を有する糸が少なくとも一部に編み込まれた布地であればよい。
【符号の説明】
【００４２】
１… タイツ
２… タイツ体  ２０… 前身頃  ２０ａ… 右側部  ２０ｂ… 左側部  ２０ｃ… 襠部
２０ａａ… 脚胴部  ２０ａｂ… 脚部  ２０ｂａ… 脚胴部  ２０ｂｂ… 脚部
２０ｄ… 開口部  ２１…後見頃  ２１ａ… 右側部  ２１ｂ… 左側部
２１ａａ…臀部  ２１ａｂ… 脚部  ２１ｂａ…臀部  ２１ｂｂ… 脚部
３… パンツ体
３０… 前身頃  ３０ａ… 右側部  ３０ｂ… 左側部  ３０ｃ… 襠部  ３０ｄ… 股部
３０ａａ… 脚胴部  ３０ａｂ… 脚部  ３０ｂａ… 脚胴部  ３０ｂｂ… 脚部
３０ｄ… 開口部  ３１… 後身頃  ３１ａ… 後部  ３１ｄ… 股部
３１ａａ…臀部  ３１ａｂ… 脚部
４…ズレ止め
【図１】
0003186052.tif 000003
【図２】
0003186052.tif 000004
【図３】
0003186052.tif 000005
【手続補正書】
【提出日】平成25年7月10日(2013.7.10)
【手続補正１】
【補正対象書類名】実用新案登録請求の範囲
【補正対象項目名】全文
【補正方法】変更
【補正の内容】
【実用新案登録請求の範囲】
【請求項１】
ウエスト位置にゴム製のズレ止めを備えるタイツ体（２）と、
前記ズレ止め（４）を前記タイツ体と共通にするパンツ体（３）と、
を備え、
前記パンツ体を前記タイツ体の内側に配置して使用することを特徴とするタイツ（１）。
【請求項２】
請求項１に記載のタイツにおいて、
前記タイツ体と前記パンツ体は、
発熱糸を用いた布地で構成されていることを特徴とするタイツ。
【請求項３】
請求項１，２のいずれか１項に記載のタイツにおいて、
前記タイツ体と前記パンツ体は、
伸縮性を有する布地で構成されていることを特徴とするタイツ。
【請求項４】
請求項３に記載のタイツにおいて、
前記パンツ体は、
前記タイツ体が備える脚部（２０ａｂ、２０ｂｂ）よりも短い脚部（３０ａｂ、３０ｂｂ）を有する
ことを特徴とするタイツ。
【手続補正２】
【補正対象書類名】明細書
【補正対象項目名】００１０
【補正方法】変更
【補正の内容】
【００１０】
次に、本考案のタイツは、請求項２に記載したように、タイツ体およびパンツ体を発熱糸を用いた布地で構成されているとよい。このタイツをはくとタイツの内側の温度が下がりにくくなるため、このタイツは、発熱糸を用いていない布地で構成されたタイツに比べ保温性に優れる。このタイツは、冬場の使用に最適である。
【手続補正３】
【補正対象書類名】明細書
【補正対象項目名】００１２
【補正方法】変更
【補正の内容】
【００１２】
次に、本考案のタイツは、請求項３に記載したように、タイツ体およびパンツ体を伸縮性を有する布地で構成されているとよい。尚、伸縮性を有する布地とは、例えば、伸縮性を有する糸が少なくとも一部に編み込まれた布地（天笠編みをし、更に、ポリウレタン糸が編み込まれた生地で伸縮性に優れているものなど。ポリウレタン糸に代えて、ポリエステル糸、ナイロン糸、綿、アクリル、ウール、レーヨン等が編み込まれていてもよい。）などがある。
【手続補正４】
【補正対象書類名】明細書
【補正対象項目名】００３８
【補正方法】変更
【補正の内容】
【００３８】
例えば、ズレ止め４は、ウエスト位置にゴムを通す袋状のゴム通し孔をウエスト回りに形成し、このゴム通し孔にゴムを通して構成してもよい。
また、上記実施形態では、タイツ１として、吸湿発熱糸で構成した冬物について説明したが、夏物の場合、クレープ素材、綿やポリエステル素材を含めた吸汗速乾素材（いわゆるシャレテコ（登録商標）（おしゃれなステテコ）等）で構成してもよいし、春物、秋物の場合、起毛系、キルト等のズボン下で構成してもよい。